(57)【要約】子局装置５２の冗長切替を実施する際、親局装置５１が下りＰＳＴメッセージを子局装置５２に送信後、所定の送信タイミンダ時間が経過すると、子局装置５２からの上りＰＳＴメッセージの送信を許可するＰＬＯＡＭグラントを子局装置５２に送信する。
2002049290.tif 000002
【特許請求の範囲】
【請求項１】
親局装置が第１又は第２の光ネットワークを介して複数の子局装置と接続されている光多分岐通信システムにおいて、上記子局装置の冗長切替を実施する際、上記親局装置は下りメッセージを上記子局装置に送信後、所定の送信タイミング時間が経過すると、上記子局装置からの上りメッセージの送信を許可するメッセージ送信許可信号を上記子局装置に送信することを特徴とする光多分岐通信システム。
【請求項２】
親局装置は、子局装置からの上りメッセージを受信するまで、所定の送信タイミング時間が経過する毎にメッセージ送信許可信号の送信を繰り返すことを特徴とする請求の範囲第１項記載の光多分岐通信システム。
【請求項３】
親局装置は、子局装置の冗長切替を実施すると、上記子局装置の冗長切替処理時間を学習して所定の送信タイミング時間を調整することを特徴とする請求の範囲第１項記載の光多分岐通信システム。
【請求項４】
親局装置は、特定の条件が成立すると冗長切替処理時間を初期化することを特徴とする請求の範囲第３項記載の光多分岐通信システム。
【請求項５】
親局装置が第１又は第２の光ネットワークを介して複数の子局装置と接続されている光多分岐通信システムにおいて、上記親局装置が上記子局装置からの上りメッセージの送信を許可するメッセージ送信許可信号を上記子局装置に送信する際、現用系の子局装置よりも予備系の子局装置に対する上記メッセージ送信許可信号の送信タイミング時間間隔を短くすることを特徴とする光多分岐通信システム。
【請求項６】
親局装置が第１又は第２の光ネットワークを介して複数の子局装置と接続されている光多分岐通信システムにおいて、上記親局装置はある子局装置の障害を検出すると全子局装置の障害検出待ちを実行し、一定時間が経過すると障害が検出された子局装置の冗長切替を実施することを特徴とする光多分岐通信システム。
【請求項７】
親局装置は、障害が検出された子局装置の冗長切替を一括して実施することを特徴とする請求の範囲第６項記載の光多分岐通信システム。
【請求項８】
親局装置は、障害が検出された子局装置からの上りメッセージの受信待ちを実行し、当該子局装置の冗長切替を一括して実施することを特徴とする請求の範囲第６項記載の光多分岐通信システム。
【請求項９】
親局装置が第１又は第２の光ネットワークを介して複数の子局装置と接続されている光多分岐通信システムにおいて、上記親局装置の切替保護時間を上記子局装置の切替保護時間よりも短くして、上記親局装置が上記子局装置の障害を検出し、上記子局装置の冗長切替を実施することを特徴とする光多分岐通信システム。
【発明の詳細な説明】
技術分野
この発明は、冗長化された光多分岐（ＰＯＮ：Ｐａｓｓｉｖｅ　Ｏｐｔｉｃａｌ　Ｎｅｔｗｏｒｋ）区間の冗長切替を制御する光多分岐通信システムに関するものである。
背景技術
第１図は例えばＩＴＵ−Ｔ（国際電気通信連合電気通信標準化部門：Ｉｎｔｅｒｎａｔｉｏｎａｌ　　Ｔｅｌｅｃｏｍｍｕｎｉｃａｔｉｏｎ　Ｕｎｉｏｎ−Ｔｅｌｅｃｏｍｍｕｎｉｃａｔｉｏｎ）勧告Ｇ．９８３．１に定義された従来の光多分岐通信システムを示す構成図であり、図において、１は親局装置、２−１〜２−ｎは子局装置、３は光カプラと光ファイバ等の受動素子で構成されるＯＤＮ（光分配網：Ｏｐｔｉｃａｌ　Ｄｉｓｔｒｉｂｕｔｉｏｎ　Ｎｅｔｗｏｒｋ）、４は現用系の親局側信号終端部、５は予備系の親局側信号終端部、６は現用系の子局側信号終端部、７は予備系の子局側信号終端部である。
ＩＴＵ−Ｔ勧告Ｇ．９８３．１では、親局装置１から子局装置２−１〜２−ｎへの下り信号は、ＯＤＮ３によって各子局装置２−１〜２−ｎに同報分配され、子局装置２−１〜２−ｎから親局装置１への上り信号は、ＯＤＮ３によって多重化されて親局装置１に送出される。この際、ＯＤＮ３上で子局装置２−１〜２−ｎからの上り信号を多重化するためのアクセス制御（遅延制御）が行われる。この遅延制御も、ＩＴＵ−Ｔ勧告Ｇ．９８３．１に記載されている。
また、特開平１１−１２２１７２号公報「光加入者ネットワークシステム」（これは、親局装置及び子局装置が、それぞれ波長の異なる複数の送受信部と、系切替部とを有することにより、低コストで光伝送系の２重化を図るものである）などにも、光加入者システムの冗長切替方式が提案されているが、ここでは、従来の冗長切替方式について、ＩＴＵ−Ｔ勧告Ｇ．９８３．１に従ったＰＯＮ区間の冗長切替制御について説明する。
第２図は従来の光多分岐通信システムの詳細を示す構成図であり、図において、２は子局装置２−１〜２−ｎのうちの何れかの子局装置、１１は選択制御部１３の指示の下、現用系の親局側信号終端部４又は予備系の親局側信号終端部５により受信された主信号を選択して出力する２−１セレクタ、１２は選択制御部１３の指示の下、主信号を現用系の親局側信号終端部４又は予備系の親局側信号終端部５の少なくとも一方に出力する方路設定部、１３はＰＬＯＡＭセルの一種であるＰＳＴ（ＰＯＮ　Ｓｅｃｔｉｏｎ　Ｔｒａｃｅ）メッセージに含まれるＫ１／Ｋ２バイトに基づいて２−１セレクタ１１及び方路設定部１２を制御する選択制御部である。
１４，１５は選択制御部１３から出力されたＰＬＯＡＭセルの一種であるＰＳＴメッセージを送受信部１８，１９に出力するＰＬＯＡＭセル挿入部、１６，１７はＰＬＯＡＭグラント（ＰＬＯＡＭセル送信許可信号）を生成して、そのＰＬＯＡＭグラントを送受信部１８，１９に出力するグラント生成部、１８，１９は主信号とＰＬＯＡＭセル及び各種グラントを子局装置２に送信する一方、子局装置２から主信号とＰＬＯＡＭセルを受信する送受信部、２０，２１は送受信部１８，１９により受信されたＰＬＯＡＭセルを入力して、そのＰＬＯＡＭセルの一種であるＰＳＴメッセージを選択制御部１３に出力するＰＬＯＡＭセル分離部である。
３１は選択制御部３３の指示の下、現用系の子局側信号終端部６又は予備系の子局側信号終端部７により受信された主信号を選択して出力する２−１セレクタ、３２は選択制御部３３の指示の下、主信号を現用系の子局側信号終端部６又は予備系の子局側信号終端部７の少なくとも一方に出力する方路設定部、３３はＰＬＯＡＭセルの一種であるＰＳＴメッセージに含まれるＫ１／Ｋ２バイトに基づいて２−１セレクタ３１及び方路設定部３２を制御する選択制御部である。
３４，３５はグラント検出部３６，３７により検出されたＰＬＯＡＭグラントの指示するタイミングで、選択制御部３３から出力されたＰＳＴメッセージを含むＰＬＯＡＭセルを送受信部３８，３９に出力するＰＬＯＡＭセル挿入部、３６，３７は送受信部３８，３９により受信されたＰＬＯＡＭグラントを検出するグラント検出部、３８，３９は主信号とＰＬＯＡＭセルを親局装置１に送信する一方、親局装置１から主信号とＰＬＯＡＭセル及び各種グラントを受信する送受信部、４０，４１は送受信部３８，３９により受信された主信号を入力して、そのＰＬＯＡＭセルの一種であるＰＳＴメッセージを選択制御部３３に出力するＰＬＯＡＭセル分離部である。
第３図は子局装置２−１に故障障害が発生した時の制御例を示す説明図である。図において、時間は紙面の上から下に流れ、各障害状況が変化した場合の親局装置１での動作と子局装置２−１〜２−ｎでの動作を示している。
次に動作について説明する。
ここでは、子局装置２−１に故障障害が発生する場合を例にして説明する。
子局装置２−１に故障障害が発生していない状況下では、２−１セレクタ１１及び方路設定部１２が現用系の子局側信号終端部６からの主信号を選択し、２−１セレクタ３１及び方路設定部３２が現用系の親局側信号終端部４からの主信号を選択しているものとする。従って、主信号は現用系を介して送受信される。
まず、子局装置２−１に故障障害が発生していない状況下では、子局装置２−１の選択制御部３３は、“切替要求なし”を示すＫ１バイトと、“現用系を選択中”を示すＫ２バイトとから構成されたＰＳＴメッセージを現用系及び予備系のＰＬＯＡＭセル挿入部３４，３５に出力する。
当該ＰＳＴメッセージを含むＰＬＯＡＭセルは子局装置２−１の送受信部３８，３９により親局装置１に送信され、親局装置１の送受信部１８，１９が当該ＰＬＯＡＭセルを受信して、ＰＬＯＡＭセル分離部２０，２１が当該ＰＬＯＡＭセルに含まれたＰＳＴメッセージを選択制御部１３に出力する。
親局装置１の選択制御部１３は、ＰＬＯＡＭセル分離部２０，２１からＰＳＴメッセージを受けると、そのＰＳＴメッセージに基づいて２−１セレクタ１１及び方路設定部１２を制御する。
ここでは、受信したＫ１バイトが“切替要求なし”を示しているので、２−１セレクタ１１及び方路設定部１２の選択状況を維持する（現用系の選択を維持する）。
なお、親局装置１も子局装置２−１と同様に、Ｋ１バイトとＫ２バイトから構成されたＰＳＴメッセージを子局装置２−１に送信するが、この例では、親局装置１には障害が発生しないものとして取り扱うので、常に“切替要求なし”を示すＫ１バイトを送信する。
次に、子局装置２−１における現用系の子局側信号終端部６で故障障害が発生すると（Ｔ１）、子局装置２−１の選択制御部３３は、“信号不良による切替要求中”を示すＫ１バイトと、“現用系を選択中”を示すＫ２バイトからなるＰＳＴメッセージに更新し、現用系及び予備系のＰＬＯＡＭセル挿入部３４，３５に出力する（Ｔ２）。
当該ＰＳＴメッセージを含むＰＬＯＡＭセルは子局装置２−１の送受信部３８，３９により親局装置１に送信され、親局装置１の送受信部１９（現用系は障害発生中であるので、当該ＰＬＯＡＭセルは送受信部１８へは届かない）が当該ＰＬＯＡＭセルを受信して、ＰＬＯＡＭセル分離部２１が当該ＰＬＯＡＭセルに含まれたＰＳＴメッセージを選択制御部１３に出力する（Ｔ３）。
親局装置１の選択制御部１３は、ＰＬＯＡＭセル分離部２１からＰＳＴメッセージを受け取ると、そのＰＳＴメッセージに基づいて方路設定部１２を制御する。
ここでは、子局装置２−１から受信したＫ１バイトが“信号不良による切替要求中”を示しているので、方路設定部１２の選択状況を予備系に切り替える指令を出力する（Ｔ４）。
なお、親局装置１は、この段階では、子局装置２−１の故障障害を確認しているので“確認応答”を示すＫ１バイトに更新する（Ｔ５）。
また、親局装置１の選択制御部１３は、この段階において、“確認応答”を示すＫ１バイトと、“現用系を選択中”を示すＫ２バイトから構成されたＰＳＴメッセージを現用系及び予備系のＰＬＯＡＭセル挿入部１４，１５に出力する。
当該ＰＳＴメッセージを含むＰＬＯＡＭセルは親局装置１の送受信部１８，１９により子局装置２−１に送信され、子局装置２−１の送受信部３９が当該ＰＬＯＡＭセルを受信して、ＰＬＯＡＭセル分離部４１が当該ＰＬＯＡＭセルに含まれたＰＳＴメッセージを選択制御部３３に出力する（Ｔ６）。
子局装置２−１の選択制御部３３は、ＰＬＯＡＭセル分離部４１からＰＳＴメッセージを受けると、この段階において、そのＰＳＴメッセージに基づいて２−１セレクタ３１及び方路設定部３２を制御する。
ここでは、受信したＫ１バイトが“確認応答”を示しているので、２−１セレクタ３１及び方路設定部３２を予備系に切り替える指令を出力する（Ｔ７）。
また、子局装置２−１の選択制御部３３は、この段階において、“信号不良による切替要求中”を示すＫ１バイトと、“予備系を選択中”を示すＫ２バイトから構成されたＰＳＴメッセージに更新し、現用系及び予備系のＰＬＯＡＭセル挿入部３４，３５に出力する（Ｔ８）。
ここで、親局装置１は、各子局装置２−１〜２−ｎからのＰＬＯＡＭ（Ｐｈｙｓｉｃａｌ　Ｌａｙｅｒ　Ｏｐｅｒａｔｉｏｎｓ　Ａｄｍｉｎｉｓｔｒａｔｉｏｎ　ａｎｄ　Ｍａｉｎｔｅｎａｎｃｅ：物理レイヤ運用管理保守）セルを受信すべく、一定周期毎に各子局装置２−１〜２−ｎへＰＬＯＡＭグラント（ＰＬＯＡＭセル送信許可信号）を送出する（Ｔ０ａ，Ｔ０ｂ，Ｔ０ｎ）。
また、ＩＴＵ−Ｔ勧告Ｇ．９８３．１に従うと、親局装置１および子局装置２は、ＰＳＴメッセージを一定間隔（１回／秒）で送信する。
従って、子局装置２−１の選択制御部３３は、上述したように“信号不良による切替要求中”を示すＫ１バイトと、“予備系を選択中”を示すＫ２バイトからなるＰＳＴメッセージを現用系及び予備系のＰＬＯＡＭセル挿入部３４，３５に出力するが、実際には、Ｔ７１でＰＬＯＡＭグラントを受信したタイミングを待って、当該ＰＳＴメッセージが親局装置１へ送出される（Ｔ１１）。
当該ＰＳＴメッセージを含むＰＬＯＡＭセルは親局装置１の送受信部１９が当該ＰＬＯＡＭセルを受信して、ＰＬＯＡＭセル分離部２１が当該ＰＬＯＡＭセルに含まれたＰＳＴメッセージを選択制御部１３に出力する。
親局装置１の選択制御部１３は、ＰＬＯＡＭセル分離部２１からＰＳＴメッセージを受け取ると、そのＰＳＴメッセージに基づいて２−１セレクタ１１を制御する。
ここでは、子局装置２−１から受信したＫ２バイトが“予備系を選択中”を示しているので、２−１セレクタ１１の選択状況を予備系に切り替える指令を出力する（Ｔ１２）。以降、主信号は予備系を介して送受信される。
最後に、親局装置１の選択制御部１３は、“確認応答”を示すＫ１バイトと、“予備系を選択中”を示すＫ２バイトからなるＰＳＴメッセージに更新し、現用系及び予備系のＰＬＯＡＭセル挿入部１４，１５に出力する（Ｔ１３）。
当該ＰＳＴメッセージを含むＰＬＯＡＭセルは、親局装置の送受信部１８，１９により子局装置２−１に送信され（Ｔ１４）、子局装置２−１の送受信部３９が当該ＰＬＯＡＭセルを受信して、ＰＬＯＡＭセル分離部４１が当該ＰＬＯＡＭセルに含まれたＰＳＴメッセージを選択制御部３３に出力し、一連の冗長切替シーケンスを終了する。
なお、Ｔ７１〜Ｔ１１において、子局装置２−１のＰＬＯＡＭセル挿入部３５で、当該ＰＳＴメッセージの前に、他のＰＬＯＡＭセルが送信待機状態であった場合には、親局装置１からのＰＬＯＡＭグラントは当該他のＰＬＯＡＭセルの送出に使用されるため、目的とするＰＳＴメッセージは、次のＰＬＯＡＭグラントを受信するまで送信待機することになることは明らかである（図示なし）。
次に、第２の従来例について説明する。
第４図Ａ及びＢは親局装置１におけるＯＤＮ３の障害検出時の制御例を示す説明図である。図において、時間は紙面の上から下に流れ、各障害状況が変化した場合の親局装置１での動作と子局装置２−１〜２−ｎでの動作を示している。
次に動作について説明する。
ここでは、光カプラと現用系の親局側信号終端部４の間で障害（以降、幹線障害と称す）が発生する場合を例にして説明する。
幹線障害が発生していない状況下では、２−１セレクタ１１及び方路設定部１２が現用系の子局側信号終端部６からの主信号を選択し、２−１セレクタ３１及び方路設定部３２が現用系の親局側信号終端部４からの主信号を選択しているものとする。従って、主信号は現用系を介して送受信されている。
幹線障害が発生すると（Ｔ２１）、親局装置１における現用系の親局側信号終端部４で子局装置２−１に対応する障害（例えば、ＬＯＳｉ：入力信号断）を検出する（Ｔ２２ａ）。
親局装置１の選択制御部１３は、現用系の障害を検出しているので、方路設定部１２の選択状況を予備系に切り替える指令を出力する（Ｔ２６ａ）。
また、親局装置１の選択制御部１３は、この段階では、子局装置２−１に対応する障害を検出しているので“信号不良による切替要求中”を示すＫ１バイトと、“現用系を選択中”を示すＫ２バイトからなるＰＳＴメッセージに更新する（Ｔ２７ａ）。
また、親局装置１の選択制御部１３は、この段階において、“信号不良による切替要求中”を示すＫ１バイトと、“現用系を選択中”を示すＫ２バイトから構成されたＰＳＴメッセージを現用系及び予備系のＰＬＯＡＭセル挿入部１４，１５に出力する。
当該ＰＳＴメッセージを含むＰＬＯＡＭセルは親局装置１の送受信部１８，１９により子局装置２−１に送信され、子局装置２−１の送受信部３９（現用系は障害発生中であるので、当該ＰＬＯＡＭセルは送受信部３８へは届かない）が当該ＰＬＯＡＭセルを受信して、ＰＬＯＡＭセル分離部４１が当該ＰＬＯＡＭセルに含まれたＰＳＴメッセージを選択制御部３３に出力する（Ｔ２８ａ）。
子局装置２−１の選択制御部３３は、ＰＬＯＡＭセル分離部４１からＰＳＴメッセージを受けると、この段階において、そのＰＳＴメッセージに基づいて２−１セレクタ３１及び方路設定部３２を制御する。
ここでは、受信したＫ１バイトが“信号不良による切替要求中”を示しているので、２−１セレクタ３１及び方路設定部３２を予備系に切り替える指令を出力する（Ｔ２９ａ〜Ｔ３０ａ）。
また、子局装置２−１の選択制御部３３は、この段階では、親局装置１の障害検出を確認しているので“確認応答”を示すＫ１バイトと、“予備系を選択中”を示すＫ２バイトから構成されたＰＳＴメッセージに更新し、現用系及び予備系のＰＬＯＡＭセル挿入部３４，３５に出力する（Ｔ３１ａ）。
ここで、親局装置１は、各子局装置２−１〜２−ｎからのＰＬＯＡＭ（物理レイヤ運用管理保守）セルを受信すべく、一定周期毎に各子局装置２−１〜２−ｎへＰＬＯＡＭグラント（ＰＬＯＡＭセル送信許可信号）を送出する。
また、ＩＴＵ−Ｔ勧告Ｇ．９８３．１に従うと、親局装置１および子局装置２−１〜２−ｎは、ＰＳＴメッセージを一定間隔（１回／秒）で送信する。
従って、子局装置２−１の選択制御部３３は、上述したような“確認応答”を示すＫ１バイトと、“予備系を選択中”を示すＫ２バイトからなるＰＳＴメッセージを現用系及び予備系のＰＬＯＡＭセル挿入部３４，３５に出力するが、実際には、Ｔ８１ａでＰＬＯＡＭグラントを受信したタイミングを待って、当該ＰＳＴメッセージが親局装置１へ送出される（Ｔ３４ａ）。
当該ＰＳＴメッセージを含むＰＬＯＡＭセルは親局装置１の送受信部１９が当該ＰＬＯＡＭセルを受信して、ＰＬＯＡＭセル分離部２１が当該ＰＬＯＡＭセルに含まれたＰＳＴメッセージを選択制御部１３に出力する（Ｔ３４ａ）。
親局装置１の選択制御部１３は、ＰＬＯＡＭセル分離部２１からＰＳＴメッセージを受け取ると、そのＰＳＴメッセージに基づいて２−１セレクタ１１を制御する。
ここでは、受信したＫ２バイトが“予備系を選択中”を示しているので、２−１セレクタ１１の選択状況を予備系に切り替える指令を出力する（Ｔ３５ａ）。以降、主信号は予備系を介して送受信される。
最後に、親局装置１の選択制御部１３は、“信号不良による切替要求中”を示すＫ１バイトと、“予備系を選択中”を示すＫ２バイトからなるＰＳＴメッセージに更新し、現用系及び予備系のＰＬＯＡＭセル挿入部１４，１５に出力する（Ｔ３６ａ）。
当該ＰＳＴメッセージを含むＰＬＯＡＭセルは親局装置１の送受信部１８，１９により子局装置２−１に送信され、子局装置２−１の送受信部３９が当該ＰＬＯＡＭセルを受信して、ＰＬＯＡＭセル分離部４１が当該ＰＬＯＡＭセルに含まれたＰＳＴメッセージを選択制御部３３に出力し、一連の冗長切替シーケンスを終了する（図示なし）。
また、Ｔ２１で幹線障害が発生しているので、親局装置１における現用系の親局側信号終端部４では他の子局装置２−２，２−ｎに対応する障害（例えば、ＬＯＳｉ）も同時に検出し、親局装置１は、子局装置２−１対応の冗長切替処理（Ｔ２２ａ〜Ｔ３６ａ，Ｔ８１ａ）と同様に、他の子局装置２−２，２−ｎ対応の冗長切替処理（Ｔ２２ｂ〜Ｔ３６ｂ，８１ｂ，Ｔ２２ｎ〜Ｔ３６ｎ，Ｔ８１ｎ）を行う。
次に、第３の従来例について説明する。
第５図Ａ及びＢは親局装置１におけるＯＤＮ３の障害検出時の制御例を示す説明図である。図において、時間は紙面の上から下に流れ、各障害状況が変化した場合の親局装置１での動作と子局装置２−１〜２−ｎでの動作を示している。ただし、当該従来例においては、現用系の親局側信号終端部４をＡ系の親局側信号終端部４と称し、予備系の親局側信号終端部５をＢ系の親局側信号終端部５と称する。
次に動作について説明する。
ここでは、光カプラとＡ系の親局側信号終端部４の間で障害（以降、幹線障害と称す）が発生する場合を例にして説明する。
幹線障害が発生していない状況下では、２−１セレクタ１１及び方路設定部１２が現用系の子局側信号終端部６からの主信号を選択し、２−１セレクタ３１及び方路設定部３２がＡ系の親局側信号終端部４からの主信号を選択しているものとする。従って、主信号は現用系及びＡ系を介して送受信されている。
幹線障害が発生すると（Ｔ２１）、まず各子局装置２−１〜２−ｎで現用系の子局側信号終端部６に対応した障害（例えば、ＬＯＳ：子局装置の入力信号断）を検出する（Ｔ２２ａ、Ｔ２２ｂ、Ｔ２２ｎ）。
各子局装置２−１〜２−ｎの子局側信号終端部６は、ある一定の保護時間（ＴＷ１、ＴＷ２，ＴＷｎ）経過後、現用系の障害を認知して冗長切替シーケンスを実行する（Ｔ２３ａ、Ｔ２３ｂ、Ｔ２３ｎ）。
ＩＴＵ−Ｔ勧告Ｇ．９８３．１に従った光多分岐通信システムでは、子局装置２−１〜２−ｎで伝送路障害を検出すると、親局装置１への送信を停止するため、親局装置１でも当該子局装置２−１〜２−ｎに対応した伝送路障害を検出する。このため、Ａ系の親局側信号終端部４は、この段階では、各子局装置２−１〜２−ｎに対する障害（例えば、ＬＯＳｉ：親局装置の入力信号断）を検出しておらず（Ｔ２４ａ、Ｔ２４ｂ、Ｔ２４ｎ）、子局装置２−１〜２−ｎからの要求により冗長切替を実行中であるため、親局装置１が保護時間ＴＷ経過後に認知する障害は無視する（Ｔ２５）。
また、子局装置２−１の選択制御部３３は、現用系の障害を検出しているので、“信号不良による切替要求中“を示すＫ１バイトと、“現用系を選択中”を示すＫ２バイトからなるＰＳＴメッセージを更新する（Ｔ２６ａ）。
ここで、親局装置１は、各子局装置２−１〜２−ｎからのＰＬＯＡＭ（物理レイヤ運用管理保守）セルを受信すべく、一定周期毎に各子局装置２−１〜２−ｎへＰＬＯＡＭグラント（ＰＬＯＡＭセル送信許可信号）を送出する。
また、ＩＴＵ−Ｔ勧告Ｇ．９８３．１に従うと、親局装置１及び子局装置２−１〜２−ｎは、ＰＳＴメッセージを一定間隔（１回／秒）で送信する。
また、子局装置２−１の選択制御部３３は、この段階において、“信号不良による切替要求中”を示すＫ１バイトと、“現用系を選択中”を示すＫ２バイトから構成されたＰＳＴメッセージを現用系及び予備系のＰＬＯＡＭセル挿入部３４，３５に出力するが、実際にはＴ２７ａでＰＬＯＡＭグラントを受信したタイミングを待って、当該メッセージが子局装置２−１の送受信部３８，３９により親局装置１へ送出される（Ｔ２８ａ）。
当該ＰＳＴメッセージを含むＰＬＯＡＭセルは親局装置１の送受信部１９（現用系は幹線障害発生中であるので、当該ＰＬＯＡＭセルは送受信部１８へは届かない）が当該ＰＬＯＡＭセルを受信して、ＰＬＯＡＭセル分離部２１が当該ＰＬＯＡＭセルに含まれたＰＳＴメッセージを選択制御部１３に出力する。
親局装置１の選択制御部１３は、ＰＬＯＡＭセル分離部２１からＰＳＴメッセージを受け取ると、そのＰＳＴメッセージに基づいて方路設定部１２を制御する。
ここでは、子局装置２−１から受信したＫ１バイトが“信号不良による切替要求中”を示しているので、方路設定部１２の選択状況をＢ系に切り替える指令を出力する（Ｔ２９ａ）。
また、親局装置１の選択制御部１３は、この段階では、子局装置２−１に対応する障害を確認しているので“確認応答”を示すＫ１バイトと、“Ａ系を選択中”を示すＫ２バイトからなるＰＳＴメッセージに更新する（Ｔ３０ａ）。
また、親局装置１の選択制御部１３は、この段階において、“確認応答”を示すＫ１バイトと、“Ａ系を選択中”を示すＫ２バイトから構成されたＰＳＴメッセージをＡ系及びＢ系のＰＬＯＡＭセル挿入部１４，１５に出力する。
当該ＰＳＴメッセージを含むＰＬＯＡＭセルは親局装置１の送受信部１８，１９により子局装置２−１に送信され、子局装置２−１の送受信部３９が当該ＰＬＯＡＭセルを受信して、ＰＬＯＡＭセル分離部４１が当該ＰＬＯＡＭセルに含まれたＰＳＴメッセージを選択制御部３３に出力する（Ｔ３１ａ）。
子局装置２−１の選択制御部３３は、ＰＬＯＡＭセル分離部４１からＰＳＴメッセージを受けると、この段階において、そのＰＳＴメッセージに基づいて２−１セレクタ３１及び方路設定部３２を制御する。
ここでは、受信したＫ１バイトが“確認応答”を示しているので、２−１セレクタ３１及び方路設定部３２を予備系に切り替える指令を出力する（Ｔ３２ａ、Ｔ３３ａ）。
また、子局装置２−１の選択制御部３３は、この段階において、“信号不良による切替要求中”を示すＫ１バイトと、“予備系を選択中”を示すＫ２バイトから構成されたＰＳＴメッセージに更新し、現用系及び予備系のＰＬＯＡＭセル挿入部３４，３５に出力する（Ｔ３４ａ）。
当該ＰＳＴメッセージを含むＰＬＯＡＭセルは、Ｔ３５ａでＰＬＯＡＭグラントを受信したタイミングを待って、子局装置２−１の送受信部３９により親局装置１へ送出される。
当該ＰＳＴメッセージを含むＰＬＯＡＭセルは親局装置１の送受信部１９が当該ＰＬＯＡＭセルを受信して、ＰＬＯＡＭセル分離部２１が当該ＰＬＯＡＭセルに含まれたＰＳＴメッセージを選択制御部１３に出力する（Ｔ３６ａ）。
親局装置１の選択制御部１３は、ＰＬＯＡＭセル分離部２１からＰＳＴメッセージを受け取ると、そのＰＳＴメッセージに基づいて２−１セレクタ１１を制御する。
ここでは、受信したＫ２バイトが“予備系を選択中”を示しているので、２−１セレクタ１１の選択状況をＢ系に切り替える指令を出力する（Ｔ３７ａ）。以降、主信号は予備系及びＢ系を介して送受信される。
最後に、親局装置１の選択制御部１３は、“確認応答”を示すＫ１バイトと、“Ｂ系を選択中”を示すＫ２バイトからなるＰＳＴメッセージに更新し、Ａ系及びＢ系のＰＬＯＡＭセル挿入部１４，１５に出力する（Ｔ３８ａ）。
当該ＰＳＴメッセージを含むＰＬＯＡＭセルは、親局装置の送受信部１８，１９により子局装置２−１に送信され（Ｔ３９ａ）、子局装置２−１の送受信部３９が当該ＰＬＯＡＭセルを受信して、ＰＬＯＡＭセル分離部４１が当該ＰＬＯＡＭセルに含まれたＰＳＴメッセージを選択制御部３３に出力し、一連の冗長切替シーケンスを終了する。
また、Ｔ２１で幹線障害が発生しているので、他の各子局装置２−２、２−ｎでは現用系の子局側信号終端部６−２、６−ｎに対応した障害（例えば、ＬＯＳ）も同時に検出し、親局装置１から送信されるＰＬＯＡＭグラントのタイミングに合わせて子局装置２−１と同様の冗長切替処理（Ｔ２６ｂ〜Ｔ３９ｂ、Ｔ２６ｎ〜Ｔ３９ｎ）を同時に行う。
従来の光多分岐通信システムは以上のように構成されているので、第３図の冗長切替処理では、親局装置１が子局装置２−１〜２−ｎへ一定周期でＰＬＯＡＭグラント（ＰＬＯＡＭセル送信許可信号）を送り、子局装置２−１〜２−ｎが当該ＰＬＯＡＭグラントを受け取ったタイミングで、親局装置１へＰＳＴメッセージを送信する。そのため、子局装置２−１〜２−ｎでＰＬＯＡＭグラント受信の待ち合わせ時間が発生し、冗長切替処理に要する時間が長くなる課題があった。
また、第４図Ａ及びＢの冗長切替処理では、ＯＤＮ３の幹線部分に障害が発生した場合、親局装置１が１つの子局装置の障害を検出する毎に、当該子局装置の冗長切替を行うため、全ての子局装置２−１〜２−ｎの冗長切替が完了するまでに長時間を要する課題があった。
また、第５図Ａ及びＢの冗長切替処理では、ＯＤＮ３の幹線部分に障害が発生した場合、子局装置２−１〜２−ｎが親局装置１よりも先に障害を検出するため、親局装置１は各子局装置の冗長切替要求に対して個別に切替処理を実行する。そのため、全ての子局装置２−１〜２−ｎの冗長切替が完了するまでに長時間を要する課題があった。
この発明は上記のような課題を解決するためになされたもので、子局装置の冗長切替処理時間を短縮することができる光多分岐通信システムを得ることを目的とする。
発明の開示
この発明に係る光多分岐通信システムは、子局装置の冗長切替を実施する際、親局装置が下りメッセージを子局装置に送信後、所定の送信タイミング時間が経過すると、子局装置からの上りメッセージの送信を許可するメッセージ送信許可信号を子局装置に送信するようにしたものである。
このことによって、子局装置の冗長切替処理時間を短縮することができる効果がある。
この発明に係る光多分岐通信システムは、子局装置からの上りメッセージを受信するまで、所定の送信タイミング時間が経過する毎にメッセージ送信許可信号の送信を繰り返すようにしたものである。
このことによって、確実に子局装置からの上りメッセージを受信することができる効果がある。
この発明に係る光多分岐通信システムは、子局装置の冗長切替を実施すると、子局装置の冗長切替処理時間を学習して所定の送信タイミング時間を調整するようにしたものである。
このことによって、子局装置への過剰なメッセージ送信許可信号の発生を抑制することができる効果がある。
この発明に係る光多分岐通信システムは、特定の条件が成立すると冗長切替処理時間を初期化するようにしたものである。
このことによって、最適なタイミングでメッセージ送信許可信号を発生することができる効果がある。
この発明に係る光多分岐通信システムは、親局装置が子局装置からの上りメッセージの送信を許可するメッセージ送信許可信号を子局装置に送信する際、現用系の子局装置よりも予備系の子局装置に対するメッセージ送信許可信号の送信タイミング時間間隔を短くするようにしたものである。
このことによって、現用系の子局装置による主信号の送信を妨げることなく、子局装置の冗長切替処理時間を短縮することができる効果がある。
この発明に係る光多分岐通信システムは、ある子局装置の障害を検出すると全子局装置の障害検出待ちを実行し、一定時間が経過すると障害が検出された子局装置の冗長切替を実施するようにしたものである。
このことによって、子局装置の冗長切替処理時間を更に短縮することができる効果がある。
この発明に係る光多分岐通信システムは、障害が検出された子局装置の冗長切替を一括して実施するようにしたものである。
このことによって、子局装置の冗長切替処理時間を更に短縮することができる効果がある。
この発明に係る光多分岐通信システムは、障害が検出された子局装置からの上りメッセージの受信待ちを実行し、当該子局装置対応の冗長切替を一括して実施するようにしたものである。
このことによって、子局装置の冗長切替処理時間を更に短縮することができる効果がある。
この発明に係る光多分岐通信システムは、親局装置の切替保護時間を子局装置の切替保護時間よりも短くして、親局装置が子局装置の障害を検出し、子局装置の冗長切替を実施するようにしたものである。
このことによって、親局装置及び子局装置の冗長切替処理時間を短縮することができる効果がある。
発明を実施するための最良の形態
以下、この発明をより詳細に説明するために、この発明を実施するための最良の形態について、添付の図面に従って説明する。
実施の形態１．
第６図はこの発明の実施の形態１による光多分岐通信システムを示す構成図であり、図において、５１は親局装置、５２−１〜５２−ｎは子局装置、５３は光カプラと光ファイバ等の受動素子で構成されるＯＤＮ（光分配網：Ｏｐｔｉｃａｌ　Ｄｉｓｔｒｉｂｕｔｉｏｎ　Ｎｅｔｗｏｒｋ）、５４は現用系の親局側信号終端部、５５は予備系の親局側信号終端部、５６は現用系の子局側信号終端部、５７は予備系の子局側信号終端部である。
第７図はこの発明の実施の形態１による光多分岐通信システムの詳細を示す構成図であり、図において、５２は子局装置５２−１〜５２−ｎのうちの何れかの子局装置、６１は選択制御部６３の指示の下、現用系の親局側信号終端部５４又は予備系の親局側信号終端部５５により受信された主信号を選択して出力する２−１セレクタ、６２は選択制御部６３の指示の下、主信号を現用系の親局側信号終端部５４又は予備系の親局側信号終端部５５の少なくとも一方に出力する方路設定部、６３はＰＬＯＡＭセルの一種であるＰＳＴ（ＰＯＮ　Ｓｅｃｔｉｏｎ　Ｔｒａｃｅ）メッセージに含まれるＫ１／Ｋ２バイトに基づいて２−１セレクタ６１及び方路設定部６２を制御する選択制御部である。
６４，６５は選択制御部６３から出力されたＰＬＯＡＭセルの一種であるＰＳＴメッセージを送受信部６８，６９に出力するＰＬＯＡＭセル挿入部、６６，６７はＰＬＯＡＭグラント（ＰＬＯＡＭセル送信許可信号）を生成して、そのＰＬＯＡＭグラントを送受信部６８，６９に出力するグラント生成部、６８，６９は主信号とＰＬＯＡＭセル及び各種グラントを子局装置５２に送信する一方、子局装置５２から主信号とＰＬＯＡＭセルを受信する送受信部、７０，７１は送受信部６８，６９により受信されたＰＬＯＡＭセルを入力して、そのＰＬＯＡＭセルの一種であるＰＳＴメッセージを選択制御部６３に出力するＰＬＯＡＭセル分離部である。
８１は選択制御部８３の指示の下、現用系の子局側信号終端部５６又は予備系の子局側信号終端部５７により受信された主信号を選択して出力する２−１セレクタ、８２は選択制御部８３の指示の下、主信号を現用系の子局側信号終端部５６又は予備系の子局側信号終端部５７の少なくとも一方に出力する方路設定部、８３はＰＬＯＡＭセルの一種であるＰＳＴメッセージに含まれるＫ１／Ｋ２バイトに基づいて２−１セレクタ８１及び方路設定部８２を制御する選択制御部である。
８４，８５はグラント検出部６６，６７により検出されたＰＬＯＡＭグラントの指示するタイミングで、選択制御部８３から出力されたＰＳＴメッセージを含むＰＬＯＡＭセルを送受信部８８，８９に出力するＰＬＯＡＭセル挿入部、８６，８７は送受信部８８，８９により受信されたＰＬＯＡＭグラントを検出するグラント検出部、８８，８９は主信号とＰＬＯＡＭセルを親局装置５１に送信する一方、親局装置５１から主信号とＰＬＯＡＭセル及び各種グラントを受信する送受信部、９０，９１は送受信部８８，８９により受信された主信号を入力して、そのＰＬＯＡＭセルの一種であるＰＳＴメッセージを選択制御部８３に出力するＰＬＯＡＭセル分離部である。
第８図は子局装置５２−１に故障障害が発生した時の制御例を示す説明図である。図において、時間は紙面の上から下に流れ、各障害状況が変化した場合の親局装置５１での動作と子局装置５２−１〜５２−ｎでの動作を示している。
次に動作について説明する。
ここでは、子局装置５２−１に障害が発生する場合を例にして説明する。
子局装置５２−１に障害が発生していない状況下では、２−１セレクタ６１及び方路設定部６２が現用系の子局側信号終端部５６からの主信号を選択し、２−１セレクタ８１及び方路設定部８２が現用系の親局側信号終端部５４からの主信号を選択しているものとする。従って、主信号は現用系を介して送受信される。
まず、子局装置５２−１に故障障害が発生していない状況下では、子局装置５２−１の選択制御部８３は、“切替要求なし”を示すＫ１バイトと、“現用系を選択中”を示すＫ２バイトとから構成されたＰＳＴメッセージを現用系及び予備系のＰＬＯＡＭセル挿入部８４，８５に出力する。
当該ＰＳＴメッセージを含むＰＬＯＡＭセルは子局装置５２−１の送受信部８８，８９により親局装置５１に送信され、親局装置５１の送受信部６８，６９が当該ＰＬＯＡＭセルを受信して、ＰＬＯＡＭセル分離部７０，７１が当該ＰＬＯＡＭセルに含まれたＰＳＴメッセージを選択制御部６３に出力する。
親局装置５１の選択制御部６３は、ＰＬＯＡＭセル分離部７０，７１からＰＳＴメッセージを受けると、そのＰＳＴメッセージに基づいて２−１セレクタ６１及び方路設定部６２を制御する。
ここでは、受信したＫ１バイトが“切替要求なし”を示しているので、２−１セレクタ６１及び方路設定部６２の選択状況を維持する（現用系の選択を維持する）。
なお、親局装置５１も子局装置５２−１と同様に、Ｋ１バイトとＫ２バイトから構成されたＰＳＴメッセージを子局装置５２−１に送信するが、この例では、親局装置５１には障害が発生しないものとして取り扱うので、常に“切替要求なし”を示すＫ１バイトを送信する。
次に、子局装置５２−１における現用系の子局側信号終端部５６で故障障害が発生すると（Ｔ１）、子局装置５２−１の選択制御部８３は、“信号不良による切替要求中”を示すＫ１バイトと、“現用系を選択中”を示すＫ２バイトからなるＰＳＴメッセージに更新し、現用系及び予備系のＰＬＯＡＭセル挿入部８４，８５に出力する（Ｔ２）。
当該ＰＳＴメッセージを含むＰＬＯＡＭセルは子局装置５２−１の送受信部８８，８９により親局装置５１に送信され、親局装置５１の送受信部６９（現用系は障害発生中であるので、当該ＰＬＯＡＭセルは送受信部６８へは届かない）が当該ＰＬＯＡＭセルを受信して、ＰＬＯＡＭセル分離部７１が当該ＰＬＯＡＭセルに含まれたＰＳＴメッセージを選択制御部６３に出力する（Ｔ３）。
親局装置５１の選択制御部６３は、ＰＬＯＡＭセル分離部７１からＰＳＴメッセージを受け取ると、そのＰＳＴメッセージに基づいて方路設定部６２を制御する。
ここでは、受信したＫ１バイトが“信号不良による切替要求中”を示しているので、方路設定部６２の選択状況を予備系に切り替える指令を出力する（Ｔ４）。
なお、親局装置５１は、この段階では、子局装置５２−１の故障障害を確認しているので“確認応答”を示すＫ１バイトに更新する（Ｔ５）。
また、親局装置５１の選択制御部６３は、この段階において、“確認応答”を示すＫ１バイトと、“現用系を選択中”を示すＫ２バイトから構成されたＰＳＴメッセージを現用系及び予備系のＰＬＯＡＭセル挿入部６４，６５に出力する。
当該ＰＳＴメッセージを含むＰＬＯＡＭセルは親局装置５１の送受信部６８，６９により子局装置５２−１に送信され、子局装置５２−１の送受信部８９が当該ＰＬＯＡＭセルを受信して、ＰＬＯＡＭセル分離部９１が当該ＰＬＯＡＭセルに含まれたＰＳＴメッセージを選択制御部８３に出力する（Ｔ６）。
子局装置５２−１の選択制御部８３は、ＰＬＯＡＭセル分離部９１からＰＳＴメッセージを受けると、この段階において、そのＰＳＴメッセージに基づいて２−１セレクタ８１及び方路設定部８２を制御する。
ここでは、受信したＫ１バイトが“確認応答”を示しているので、２−１セレクタ８１及び方路設定部８２を予備系に切り替える指令を出力する（Ｔ７）。
また、子局装置５２−１の選択制御部８３は、この段階において、“信号不良による切替要求中”を示すＫ１バイトと、“予備系を選択中”を示すＫ２バイトから構成されたＰＳＴメッセージに更新し、現用系及び予備系のＰＬＯＡＭセル挿入部８４，８５に出力する（Ｔ８）。
一方、親局装置５１の選択制御部６３は、Ｔ６でＰＳＴメッセージを出力後、子局装置５２−１からのＰＳＴメッセージを受信すべく一定時間（Ｔｗ）経過後にＰＬＯＡＭグラントを送出する（Ｔ９，Ｔ１０）。
子局装置５２−１の選択制御部８３は、Ｔ１０でＰＬＯＡＭグラントを受信したタイミングで、上述したように“信号不良による切替要求中”を示すＫ１バイトと、“予備系を選択中”を示すＫ２バイトからなるＰＳＴメッセージを現用系及び予備系のＰＬＯＡＭセル挿入部８４，８５に出力する。
当該ＰＳＴメッセージを含むＰＬＯＡＭセルは親局装置５１の送受信部６９が当該ＰＬＯＡＭセルを受信して、ＰＬＯＡＭセル分離部７１が当該ＰＬＯＡＭセルに含まれたＰＳＴメッセージを選択制御部６３に出力する（Ｔ１１）。
親局装置５１の選択制御部６３は、ＰＬＯＡＭセル分離部７１からＰＳＴメッセージを受け取ると、そのＰＳＴメッセージに基づいて２−１セレクタ６１を制御する。
ここでは、子局装置５２−１から受信したＫ２バイトが“予備系を選択中”を示しているので、２−１セレクタ６１の選択状況を予備系に切り替える指令を出力する（Ｔ１２）。以降、主信号は予備系を介して送受信される。
最後に、親局装置５１の選択制御部６３は、“確認応答”を示すＫ１バイトと、“予備系を選択中”を示すＫ２バイトからなるＰＳＴメッセージに更新し、現用系及び予備系のＰＬＯＡＭセル挿入部６４，６５に出力する（Ｔ１３）。
当該ＰＳＴメッセージを含むＰＬＯＡＭセルは親局装置５１の送受信部６８，６９により子局装置５２−１に送信され（Ｔ１４）、子局装置５２−１の送受信部８９が当該ＰＬＯＡＭセルを受信して、ＰＬＯＡＭセル分離部９１が当該ＰＬＯＡＭセルに含まれたＰＳＴメッセージを選択制御部８３に出力し、一連の冗長切替シーケンスを終了する。
なお、Ｔ１０〜Ｔ１１において、子局装置５２−１のＰＬＯＡＭセル挿入部８５で、当該ＰＳＴメッセージの前に、他のＰＬＯＡＭセルが送信待機状態であった場合には、親局装置５１からのＰＬＯＡＭグラントは当該他のＰＬＯＡＭセルの送出に使用されるため、目的とするＰＳＴメッセージが送信待機することが想定される。そのため、親局装置５１の選択制御部６３は、期待する子局装置５２−１からのＰＳＴメッセージを受信するまで、一定時間（Ｔｗ）経過後にＰＬＯＡＭグラントの送出を繰り返すようにする（図示なし）。
このように制御することにより、子局装置５２−１は、Ｔ１１でＰＳＴメッセージの送信タイミングに合わせて、親局装置５１よりＰＬＯＡＭグラント（ＰＬＯＡＭセル送信許可信号）を受け取るため、常に、当該ＰＳＴメッセージの送信待ち合わせ時間が短縮され、一連の冗長切替処理時間を短縮することができる。
更に、子局装置５２−１での冗長切替処理時間（Ｔ６〜Ｔ８）は、子局装置５２−１の性能により均一ではない（子局装置５２−１のベンダにより異なる）ため、親局装置５１と子局装置５２の異ベンダ間接続を考慮して、親局装置５１は冗長切替実施の都度、接続されている子局装置５２の冗長切替処理時間を学習し、その時間に応じてＰＬＯＡＭグラントの送信タイミングを調整する。
即ち、最初は一定時間（Ｔｗ）経過後にＰＬＯＡＭグラントを発生し、子局装置５２−１から期待するＰＳＴメッセージが返ってこなければ、もう一定時間（Ｔｗ）待ってＰＬＯＡＭグラントを発生し、実際に子局装置５２−１から期待するＰＳＴメッセージを受信した時間を学習する。次回以降は前記学習した時間経過後にＰＬＯＡＭグラントを発生することにより、過剰なＰＬＯＡＭグラントの発生を抑えて、一連の冗長切替処理時間を短縮する。
更に、子局装置５２−１が他のベンダの子局装置に交換される場合を想定し、上述した学習した冗長切替処理時間はレンジング（注１）（またはＦＳＡＮ番号変更（注２）、または子局装置登録）の都度リセットする。ただし、ＰＯＰＵＰ手順（注３）では学習時間をリセットしない。親局装置５１の当該操作により、他ベンダの子局装置への交換時にも最適なＰＬＯＡＭグラント発生により、より最適なＰＬＯＡＭグラントの発生を可能として、冗長切替処理時間を短縮する。
（注１）レンジングとは、親局装置５１と子局装置５２間の光ファイバの接続や、親局装置５１または子局装置５２の電源再投入やリセットを行った時に、親局装置５１が当該子局装置５２との距離を測定し、その測定結果に基づいて子局装置５２が送信する上りデータの遅延設定を行う。これにより、光ファイバ上（伝送路上）での各子局装置５２からのデータの衝突を回避するものである。
（注２）ＦＳＡＮ番号とは、各子局装置５２に固有に与えられる８バイトの固体番号であり、４バイトのベンダコードと４バイトの製造番号からなる。親局装置５１に子局装置５２を接続するためには、親局装置５１に接続する子局装置５２のＦＳＡＮ番号を正しく設定する必要がある。また、この行為を子局装置５２の登録と呼ぶ。
（注３）ＰＯＰＵＰ手順とは、伝送路の保守などの理由で、光ファイバ網が数百ミリ秒程度の間、瞬断する場合があり、この時にゼロからレンジングを行うことなく親局装置５１と子局装置５２間のＰＯＮを高速に接続状態に戻す手順のことである。
以上で明らかなように、この実施の形態１によれば、子局装置５２の冗長切替を実施する際、親局装置５１が下りＰＳＴメッセージを子局装置５２に送信後、所定の送信タイミング時間が経過すると、子局装置５２からの上りＰＳＴメッセージの送信を許可するＰＬＯＡＭグラント（ＰＬＯＡＭセル送信許可信号）を子局装置５２に送信するように構成したので、子局装置５２の冗長切替処理時間を短縮することができる効果を奏する。
なお、上記説明では、ＰＳＴメッセージを非選択系と選択系ともに送受信しているが、非選択系のみで送受信しても同様の効果を奏する。
実施の形態２．
上記実施の形態１では、親局装置５１が下りＰＳＴメッセージを子局装置５２に送信後、所定の送信タイミング時間が経過すると、子局装置５２からの上りＰＳＴメッセージの送信を許可するＰＬＯＡＭグラントを子局装置５２に送信するものについて示したが、子局装置５２に対する下りＰＳＴメッセージの送信に関係なく、親局装置５１がＰＬＯＡＭグラントを子局装置５２に送信する第１の従来例において、現用系、予備系とも同じ時間間隔でＰＬＯＡＭグラントを送信するのではなく、親局装置５１が現用系の子局装置５２（現用系の子局側信号終端部５６）よりも予備系の子局装置（予備系の子局側信号終端部５７）に対するＰＬＯＡＭグラントの送信タイミング時間間隔を短くするようにしてもよい。
具体的には次の通りである。
第９図Ａ及びＢは子局装置５２−１に故障障害が発生したときの制御例を示す説明図である。図において、時間は紙面の上から下に流れ、各障害状況が変化した場合の親局装置５１での動作と子局装置５２−１〜５２−ｎでの動作を示している。ただし、この実施の形態２においては、現用系の親局側信号終端部５４をＡ系の親局側信号終端部５４と称し、予備系の親局側信号終端部５５をＢ系の親局側信号終端部５５と称する。
次に動作について説明する。
ここでは、子局装置５２−１に障害が発生する場合を例にして説明する。
子局装置５２−１に障害が発生していない状況下では、２−１セレクタ６１及び方路設定部６２が現用系の子局側信号終端部５６からの主信号を選択し、２−１セレクタ８１及び方路設定部８２がＡ系の親局側信号終端部５４からの主信号を選択しているものとする。従って、主信号は現用系及びＡ系を介して送受信される。
まず、子局装置５２−１に障害が発生していない状況下では、子局装置５２−１の選択制御部８３は、“切替要求なし”を示すＫ１バイトと、“現用系を選択中”を示すＫ２バイトから構成されたＰＳＴメッセージを現用系及び予備系のＰＬＯＡＭセル挿入部８４，８５に出力する。
当該ＰＳＴメッセージを含むＰＬＯＡＭセルは子局装置５２−１の送受信部８８，８９により親局装置５１に送信され、親局装置５１の送受信部６８，６９が当該ＰＬＯＡＭセルを受信して、ＰＬＯＡＭセル分離部７０，７１が当該ＰＬＯＡＭセルに含まれたＰＳＴメッセージを選択制御部６３に出力する。
親局装置５１の選択制御部６３は、ＰＬＯＡＭセル分離部７０，７１からＰＳＴメッセージを受けると、そのＰＳＴメッセージに基づいて２−１セレクタ６１及び方路設定部６２を制御する。
ここでは、受信したＫ１バイトが“切替要求なし”を示しているので、２−１セレクタ６１及び方路設定部６２の選択状況を維持する（Ａ系の選択を維持する）。
なお、親局装置５１も子局装置５２−１と同様に、Ｋ１バイトとＫ２バイトから構成されたＰＳＴメッセージを子局装置５２−１に送信するが、この例では、親局装置５１には障害が発生しないものとして取り扱うので、常に“切替要求なし”を示すＫ１バイトを送信する。
次に、子局装置５２−１における現用系の子局側信号終端部５６で故障障害が発生すると（Ｔ１）、子局装置５２−１の選択制御部８３は、“信号不良による切替要求中”を示すＫ１バイトと、“現用系を選択中”を示すＫ２バイトからなるＰＳＴメッセージに更新し、現用系及び予備系のＰＬＯＡＭセル挿入部８４，８５に出力する（Ｔ２）。
ここで、親局装置５１は、各子局装置５２−１〜５２−ｎからのＰＬＯＡＭセルを受信すべく、一定周期毎に各子局装置５２−１〜５２−ｎへＰＬＯＡＭグラントを送出する（Ｔ０ａ１、Ｔ０ｂ１、Ｔ０ａ２、Ｔ０ｂ２、Ｔ０ａｎ、Ｔ０ｂｎ）。
このとき、Ａ系から送出されるＰＬＯＡＭグラントの送出周期ＴＷ１よりもＢ系から送出されるＰＬＯＡＭグラントの送出周期ＴＷ２を短くして、Ｂ系のＰＬＯＡＭグラントの発生頻度を大きくする（Ｔ９、Ｔ１０）。
従って、子局装置５２−１の選択制御部８３は、“信号不良による切替要求中”を示すＫ１バイトと、“現用系を選択中”を示すＫ２バイトからなるＰＳＴメッセージを現用系及び予備系のＰＬＯＡＭセル挿入部８４，８５に出力するが、実際には、Ｔ７０でＰＬＯＡＭグラントを受信したタイミングを待って、当該ＰＳＴメッセージが親局装置５１へ送出される。
当該ＰＳＴメッセージを含むＰＬＯＡＭセルは子局装置５２−１の送受信部８８，８９により親局装置５１に送信され、親局装置５１の送受信部６９（現用系は障害発生中であるので、当該ＰＬＯＡＭセルは送受信部６８へは届かない）が当該ＰＬＯＡＭセルを受信して、ＰＬＯＡＭセル分離部７１が当該ＰＬＯＡＭセルに含まれたＰＳＴメッセージを選択制御部６３に出力する（Ｔ３）。
親局装置５１の選択制御部６３は、ＰＬＯＡＭセル分離部７１からＰＳＴメッセージを受け取ると、そのＰＳＴメッセージに基づいて方路設定部６２を制御する。
ここでは、子局装置５２−１から受信したＫ１バイトが“信号不良による切替要求中”を示しているので、方路設定部６２の選択状況をＢ系に切り替える指令を出力する（Ｔ４）。
なお、親局装置５１は、この段階では、子局装置５２−１の故障障害を確認しているので“確認応答”を示すＫ１バイトに更新する（Ｔ５）。
また、親局装置５１の選択制御部６３は、この段階において、“確認応答”を示すＫ１バイトと、“Ａ系を選択中”を示すＫ２バイトから構成されたＰＳＴメッセージをＡ系及びＢ系のＰＬＯＡＭセル挿入部６４，６５に出力する。
当該ＰＳＴメッセージを含むＰＬＯＡＭセルは親局装置５１の送受信部６８，６９により子局装置５２−１に送信され、子局装置５２−１の送受信部８９が当該ＰＬＯＡＭセルを受信して、ＰＬＯＡＭセル分離部９１が当該ＰＬＯＡＭセルに含まれたＰＳＴメッセージを選択制御部８３に出力する（Ｔ６）。
子局装置５２−１の選択制御部８３は、ＰＬＯＡＭセル分離部９１からＰＳＴメッセージを受けると、この段階において、そのＰＳＴメッセージに基づいて２−１セレクタ８１及び方路設定部８２を制御する。
ここでは、受信したＫ１バイトが“確認応答”を表示しているので、２−１セレクタ８１及び方路設定部８２を予備系に切り替える指令を出力する（Ｔ７）。
また、子局装置５２−１の選択制御部８３は、この段階において、“信号不良による切替要求中”を示すＫ１バイトと、“予備系を選択中”を示すＫ２バイトから構成されたＰＳＴメッセージに更新し、現用系及び予備系のＰＬＯＡＭセル挿入部８４，８５に出力する（Ｔ８）。
当該ＰＳＴメッセージを含むＰＬＯＡＭセルは、Ｔ７１でＰＬＯＡＭグラントを受信したタイミングを待って、子局装置５２−１の送受信部８８，８９により親局装置５１に送信され、親局装置５１の送受信部６９が当該ＰＬＯＡＭセルを受信して、ＰＬＯＡＭセル分離部７１が当該ＰＬＯＡＭセルに含まれたＰＳＴメッセージを選択制御部６３に出力する（Ｔ１１）。
親局装置５１の選択制御部６３は、ＰＬＯＡＭセル分離部７１からＰＳＴメッセージを受け取ると、そのＰＳＴメッセージに基づいて２−１セレクタ６１を制御する。
ここでは、子局装置５２−１から受信したＫ２バイトが“予備系を選択中”を表示しているので、２−１セレクタ６１の選択状況をＢ系に切り替える指令を出力する（Ｔ１２）。以降、主信号は予備系及びＢ系を介して送受信される。
最後に、親局装置５１の選択制御部６３は、“確認応答”を示すＫ１バイトと、“Ｂ系を選択中”を示すＫ２バイトからなるＰＳＴメッセージに更新し、Ａ系及びＢ系のＰＬＯＡＭセル挿入部６４，６５に出力する（Ｔ１３）。
当該ＰＳＴメッセージを含むＰＬＯＡＭセルは、親局装置５１の送受信部６８，６９により子局装置５２−１に送信され（Ｔ１４）、子局装置５２−１の送受信部８９が当該ＰＬＯＡＭセルを受信して、ＰＬＯＡＭセル分離部９１が当該ＰＬＯＡＭセルに含まれたＰＳＴメッセージを選択制御部８３に出力し、一連の冗長切替えシーケンスが終了する。
なお、一連の冗長切替シーケンス終了後、主信号は予備系及びＢ系を介して送受信されるため、Ｂ系の親局側信号終端部５５から予備系の子局側信号終端部５７へ送出されるＰＬＯＡＭグラントのＰＬＯＡＭ送出周期（ＴＷ２）は、主信号の妨げにならないように、Ａ系で使われていたＰＬＯＡＭグラント送出周期（ＴＷ１）に変更される（Ｔ１５）。
この実施の形態２によれば、子局装置５２−１の冗長切替を実施する際、Ｂ系から送出されるＰＬＯＡＭグラントの送出周期を短くするように構成したため、子局装置５２−１が送信ＰＳＴメッセージを更新してからＰＬＯＡＭグラントを受信するまでの余分な送信待ち合わせ時間が短縮され、一連の冗長切替処理時間を短縮することができる。
更に、親局装置５１は、主信号を送信するＡ系のＰＬＯＡＭグラント送出周期を短縮すると、主信号の送信を妨げてしまう。そのため、主信号を送信していないＢ系におけるＰＬＯＡＭグラントの発生頻度を大きくすることにより、主信号を送信するＡ系に影響を及ぼすことなく、当該ＰＳＴメッセージの受信周期の短縮を図ることができる。
実施の形態３．
第１０図Ａ及びＢは親局装置５１におけるＯＤＮ５３の障害検出時の制御例を示す説明図である。図において、時間は紙面の上から下に流れ、各障害状況が変化した場合の親局装置５１での動作と子局装置５２−１〜５２−ｎでの動作を示している。
次に動作について説明する。
ここでは、光カプラと現用系の親局側信号終端部５４の間で障害（以降、幹線障害と称す）が発生する場合を例にして説明する。
幹線障害が発生していない状況下では、２−１セレクタ６１及び方路設定部６２が現用系の子局側信号終端部５６からの主信号を選択し、２−１セレクタ８１及び方路設定部８２が現用系の親局側信号終端部５４からの主信号を選択しているものとする。従って、主信号は現用系を介して送受信されている。
次に、幹線障害が発生すると（Ｔ２１）、親局装置５１における現用系の親局側信号終端部５４で子局装置５２−１に対応する障害（例えば、ＬＯＳｉ：入力信号断）を検出する（Ｔ２２ａ）。親局装置５１の選択制御部６３は、他の子局装置５２−２〜５２−ｎに対応する障害の同時発生を想定し、一定時間待合せるべく待合せタイマのカウントを開始し（Ｔ２３）、全ての子局分の障害を検出するのを待合せる（Ｔ２４ａ）。
引き続き、子局装置５２−２、５２−ｎに対応する障害（例えば、ＬＯＳｉ）を検出すると（Ｔ２２ｂ，Ｔ２２ｎ）、親局装置５１の選択制御部６３は、全子局装置分の障害を検出するのを待合せる（Ｔ２４ｂ，Ｔ２４ｎ）。
この時点で、親局装置５１の選択制御部６３は、親局装置５１の現用系の親局側信号終端部５４に接続（＝登録を意味する）された全ての子局装置５２−１〜５２−ｎに対応する障害を検出したとすると、親局装置５１の選択制御部６３は、上述した待合せタイマを停止し（Ｔ２５）、冗長切替動作を開始する。
まず、親局装置５１の選択制御部６３は、上述したように、現用系の幹線障害を検出しているので、方路設定部６２の選択状況を予備系に切り替える指令を出力する（Ｔ２６ａ，Ｔ２６ｂ，Ｔ２６ｎ）。
また、親局装置５１の選択制御部６３は、この段階では、各子局装置５２−１，５２−２，５２−ｎに対応する障害を検出しているので“信号不良による切替要求中”を示すＫ１バイトと、“現用系を選択中”を示すＫ２バイトからなるＰＳＴメッセージに更新する（Ｔ２７ａ，Ｔ２７ｂ，Ｔ２７ｎ）。
また、親局装置５１の選択制御部６３は、この段階において、“信号不良による切替要求中”を示すＫ１バイトと、“現用系を選択中”を示すＫ２バイトから構成されたＰＳＴメッセージを現用系及び予備系のＰＬＯＡＭセル挿入部６４，６５に出力する。
当該ＰＳＴメッセージを含むＰＬＯＡＭセルは親局装置５１の送受信部６８，６９により各子局装置５２−１，５２−２，５２−ｎに送信され、各子局装置５２−１，５２−２，５２−ｎの送受信部８９（現用系は障害発生中であるので、当該ＰＬＯＡＭセルは送受信部８８へは届かない）が当該ＰＬＯＡＭセルを受信して、ＰＬＯＡＭセル分離部９１が当該ＰＬＯＡＭセルに含まれたＰＳＴメッセージを選択制御部８３に出力する（Ｔ２８ａ，Ｔ２８ｂ，Ｔ２８ｎ）。
各子局装置５２−１，５２−２，５２−ｎの選択制御部８３は、ＰＬＯＡＭセル分離部９１からＰＳＴメッセージを受けると、この段階において、そのＰＳＴメッセージに基づいて２−１セレクタ８１及び方路設定部８２を制御する。
ここでは、受信したＫ１バイトが“信号不良による切替要求中”を示しているので、２−１セレクタ８１及び方路設定部８２を予備系に切り替える指令を出力する（Ｔ２９ａ〜Ｔ３０ａ，Ｔ２９ｂ〜Ｔ３０ｂ，Ｔ２９ｎ〜Ｔ３０ｎ）。
また、各子局装置５２−１，５２−２，５２−ｎの選択制御部８３は、この段階では、親局装置５１での障害検出を確認しているので“確認応答”を示すＫ１バイトと、“予備系を選択中”を示すＫ２バイトから構成されたＰＳＴメッセージに更新し、現用系及び予備系のＰＬＯＡＭセル挿入部８４，８５に出力する（Ｔ３１ａ，Ｔ３１ｂ，Ｔ３１ｎ）。
一方、親局装置５１の選択制御部６３は、Ｔ２８ａ，Ｔ２８ｂ，Ｔ２８ｎでＰＳＴメッセージを出力後、各子局装置５２−１，５２−２，５２−ｎからのＰＳＴメッセージを受信すべく一定時間（Ｔｗ）経過後にＰＬＯＡＭグラントを送出する（Ｔ３２ａ〜Ｔ３３ａ，Ｔ３２ｂ〜Ｔ３３ｂ，Ｔ３２ｎ〜Ｔ３３ｎ）。
各子局装置５２−１，５２−２，５２−ｎの選択制御部８３は、Ｔ３３ａ，Ｔ３３ｂ，Ｔ３３ｎでＰＬＯＡＭグラントを受信したタイミングで、上述したように“確認応答”を示すＫ１バイトと、“予備系を選択中”を示すＫ２バイトからなるＰＳＴメッセージを現用系及び予備系のＰＬＯＡＭセル挿入部８４，８５に出力する（Ｔ３４ａ，Ｔ３４ｂ，Ｔ３４ｎ）。
当該ＰＳＴメッセージを含むＰＬＯＡＭセルは親局装置５１の送受信部６９が当該ＰＬＯＡＭセルを受信して、ＰＬＯＡＭセル分離部７１が当該ＰＬＯＡＭセルに含まれたＰＳＴメッセージを選択制御部６３に出力する（Ｔ３４ａ，Ｔ３４ｂ，Ｔ３４ｎ）。
親局装置５１の選択制御部６３は、ＰＬＯＡＭセル分離部７１からＰＳＴメッセージを受け取ると、そのＰＳＴメッセージに基づいて２−１セレクタ６１を制御する。
ここでは、受信したＫ２バイトが“予備系を選択中”を示しているので、２−１セレクタ６１の選択状況を予備系に切り替える指令を出力する（Ｔ３５ａ，Ｔ３５ｂ，Ｔ３５ｎ）。以降、主信号は予備系を介して送受信される。
最後に、親局装置５１の選択制御部６３は、“信号不良による切替要求中”を示すＫ１バイトと、“予備系を選択中”を示すＫ２バイトからなるＰＳＴメッセージに更新し、現用系及び予備系のＰＬＯＡＭセル挿入部６４，６５に出力する（Ｔ３６ａ，Ｔ３６ｂ，Ｔ３６ｎ）。
当該ＰＳＴメッセージを含むＰＬＯＡＭセルは親局装置５１の送受信部６８，６９により各子局装置５２−１，５２−２，５２−ｎに送信され、各子局装置５２−１，５２−２，５２−ｎの送受信部８９が当該ＰＬＯＡＭセルを受信して、ＰＬＯＡＭセル分離部９１が当該ＰＬＯＡＭセルに含まれたＰＳＴメッセージを選択制御部８３に出力し、一連の冗長切替シーケンスを終了する（図示なし）。
このように制御することにより、親局装置５１は、Ｔ２４ａ〜Ｔ２４ｎで障害検出の都度、冗長切替を行わず、一定時間、他の子局装置５２−２〜５２−ｎの障害検出を待合せ、次に、登録された全ての子局装置５２−１〜５２−ｎ対応の障害発生を検出するか、前記一定時間（ＴＷ）が経過した時に冗長切替処理を開始するため、全体としての冗長切替処理時間が短縮され、一連の冗長切替処理時間を短縮することができる。
即ち、各子局装置５２−２〜５２−ｎの障害を検出する毎に、当該子局装置の冗長切替処理を実施する場合、その都度、冗長切替処理の実施準備（例えば、冗長切替用ソフトウエアの立上げやテーブルの更新）を行う必要があるため、全体としての冗長切替処理時間が長くなるが、ここでは、全子局装置の障害を検出してから、一括して冗長切替処理の実施準備を行うため、全体としての冗長切替処理時間を短縮することができる。
また、親局装置５１は、Ｔ２６ａ〜Ｔ２６ｎで各子局装置５２−２〜５２−ｎに対する冗長切替処理を全ての子局装置分、一括して冗長切替処理を行うため、やはり全体としての冗長切替処理時間が短縮され、一連の冗長切替処理時間を更に短縮することができる。
上記説明では、ＰＳＴメッセージを非選択系と選択系ともに送受信しているが、非選択系のみで送受信しても同様の効果を奏でる。
実施の形態４．
第１１図Ａ及びＢは親局装置５１におけるＯＤＮ５３の障害検出時の制御例を示す説明図である。図において、時間は紙面の上から下に流れ、各障害状況が変化した場合の親局装置５１での動作と子局装置５２−１〜５２−ｎでの動作を示している。
次に動作について説明する。
ここでは、光カプラと現用系の親局側信号終端部５４の間で障害（以降、幹線障害と称す）が発生する場合を例にして説明する。
幹線障害が発生していない状況下では、２−１セレクタ６１及び方路設定部６２が現用系の子局側信号終端部５６からの主信号を選択し、２−１セレクタ８１及び方路設定部８２が現用系の親局側信号終端部５４からの主信号を選択しているものとする。従って、主信号は現用系を介して送受信されている。
次に、幹線障害が発生すると（Ｔ２１）、上記実施の形態３と同様に、親局装置５１は現用系の親局側信号終端部５４に接続された全ての子局装置５２−１〜５２−ｎに対応する障害を検出するのを待合せ、冗長切替動作を開始する（Ｔ２２ａ〜２７ｎ）。
また、親局装置５１の選択制御部６３は、この段階において、上記実施の形態３と同様に、“信号不良による切替要求中”を示すＫ１バイトと、“現用系を選択中”を示すＫ２バイトから構成されたＰＳＴメッセージを現用系及び予備系のＰＬＯＡＭセル挿入部６４，６５に出力する。
当該ＰＳＴメッセージを含むＰＬＯＡＭセルは親局装置５１の送受信部６８，６９により各子局装置５２−１，５２−２，５２−ｎに送信され、各子局装置５２−１，５２−２，５２−ｎの送受信部８９（現用系は障害発生中であるので、当該ＰＬＯＡＭセルは送受信部８８へは届かない）が当該ＰＬＯＡＭセルを受信して、ＰＬＯＡＭセル分離部９１が当該ＰＬＯＡＭセルに含まれたＰＳＴメッセージを選択制御部８３に出力する（Ｔ２８ａ，Ｔ２８ｂ，Ｔ２８ｎ）。
更に、この時点で、親局装置５１の選択制御部６３は、親局装置５１の現用系の親局側信号終端部５４に接続された全ての子局装置５２−１〜５２−ｎからＰＳＴメッセージを受信するために、一定時間待合せるべく待合せタイマのカウントを開始し（Ｔ４１）、全ての子局装置５２−１〜５２−ｎからのＰＳＴメッセージを待合せる。
各子局装置５２−１，５２−２，５２−ｎの選択制御部８３は、上記実施の形態３と同様に、ＰＬＯＡＭセル分離部９１からＰＳＴメッセージを受けると、この段階において、そのＰＳＴメッセージに基づいて２−１セレクタ８１及び方路設定部８２を制御し、送信ＰＳＴメッセージを更新後、親局装置５１へ送信する（Ｔ２９ａ〜Ｔ３４ｎ）。
親局装置５１の選択制御部６３は、ＰＬＯＡＭセル分離部７１からＰＳＴメッセージを受け取ると（Ｔ３４ａ）、他の子局装置５２−２〜５２−ｎからのＰＳＴメッセージの受信を待合せる（Ｔ４２ａ）。
引き続き、子局装置５２−２，５２−ｎからのＰＳＴメッセージを受信すると（Ｔ３４ｂ，Ｔ３４ｎ）、親局装置５１の選択制御部６３は、全子局装置分の障害を検出するのを待合せる（Ｔ４２ｂ，Ｔ４２ｎ）。
この時点で、親局装置５１の選択制御部６３は、親局装置５１の現用系の親局側信号終端部５４に接続された全ての子局装置５２−１〜５２−ｎからのＰＳＴメッセージを受信したとすると、親局装置５１の選択制御部６３は、当該待合せタイマを停止し（Ｔ４３）、一括して冗長切替動作を続行する。
ここでは、各子局装置５２−１〜５２−ｎから受信したＫ２バイトが“予備系を選択中”を示しているので、２−１セレクタ６１の選択状況を予備系に切り替える指令を出力する（Ｔ４４ａ，Ｔ４４ｂ，Ｔ４４ｎ）。以降、主信号は予備系を介して送受信される。
最後に、親局装置５１の選択制御部６３は、上記実施の形態３と同様に、“信号不良による切替要求中”を示すＫ１バイトと、“予備系を選択中”を示すＫ２バイトからなるＰＳＴメッセージに一括して更新し、現用系及び予備系のＰＬＯＡＭセル挿入部６４，６５に一括出力する（Ｔ４５ａ，Ｔ４５ｂ，Ｔ４５ｎ）。
当該ＰＳＴメッセージを含むＰＬＯＡＭセルは親局装置５１の送受信部６８，６９により各子局装置５２−１，５２−２，５２−ｎに送信され、各子局装置５２−１，５２−２，５２−ｎの送受信部８９が当該ＰＬＯＡＭセルを受信して、ＰＬＯＡＭセル分離部９０，９１が当該ＰＬＯＡＭセルに含まれたＰＳＴメッセージを選択制御部８３に出力し、一連の冗長切替シーケンスを終了する（図示なし）。
このように制御することにより、親局装置５１は、Ｔ４２ａ，Ｔ４２ｂ，Ｔ４２ｎでＰＳＴメッセージの受信の都度、冗長切替を続行せず、全ての子局装置５２−１〜５２−ｎからのＰＳＴメッセージを受信した後に、一括して冗長切替処理を続行するため、全体としての冗長切替処理時間が上記実施の形態２よりも短縮され、一連の冗長切替処理時間を短縮することができる。
上記説明では、ＰＳＴメッセージを非選択系と選択系ともに送受信しているが、非選択系のみで送受信しても同様の効果を奏する。
実施の形態５．
第１２図Ａ及びＢは親局装置５１におけるＯＤＮ５３の障害検出時の制御例を示す説明図である。図において、時間は紙面の上から下に流れ、各障害状況が変化した場合の親局装置５１での動作と子局装置５２−１〜５２−ｎでの動作を示している。ただし、この実施の形態５においては、現用系の親局側信号終端部５４をＡ系の親局側信号終端部５４と称し、予備系の親局側信号終端部５５をＢ系の親局側信号終端部５５と称する。
次に動作について説明する。
ここでは、光カプラとＡ系の親局側信号終端部５４の間での障害（以降、幹線障害と称す）が発生する場合を例にして説明する。
幹線障害が発生していない状況下では、２−１セレクタ６１及び方路設定部６２が現用系の子局側信号終端部５６からの主信号を選択し、２−１セレクタ８１及び方路設定部８２が全てＡ系の親局側信号終端部５４からの主信号を選択しているものとする。従って、主信号は現用系及びＡ系を介して送受信される。
次に、幹線障害が発生すると（Ｔ２１）、子局装置５２−１〜５２−ｎにおける現用系の子局側信号終端部５６でそれぞれ障害（例えば、ＬＯＳ：入力信号断）を検出する（Ｔ２２ａ、Ｔ２２ｂ、Ｔ２２ｎ）。また、親局装置５１におけるＡ系の親局側信号終端部５４で子局装置５２−１〜５２−ｎに対応する障害（例えば、ＬＯＳｉ：入力信号断）を検出する（Ｔ２４ａ、Ｔ２４ｂ、Ｔ２４ｎ）。
このとき、障害を検出してから切替保護時間（ＴＷ、ＴＷ１、ＴＷ２、ＴＷｎ）経過後に冗長切替シーケンスを実行するが、親局装置５１の切替保護時間ＴＷを各子局装置の切替保護時間ＴＷ１、ＴＷ２、ＴＷｎよりも短くして、親局装置５１から冗長切替動作を開始する（Ｔ２５、Ｔ２３ａ、Ｔ２３ｂ、Ｔ２３ｎ）。
まず、親局装置５１の選択制御部６３は、上述したように、Ａ系の幹線障害を検出しているので、方路設定部６２の選択状況をＢ糸に切り替える指令を出力する（Ｔ２６ａ、Ｔ２６ｂ、Ｔ２６ｎ）。
また、親局装置５１の選択制御部６３は、この段階で、各子局装置５２−１〜５２−ｎに対応する障害を検出しているので“信号不良による切替要求中”を示すＫ１バイトと、“Ａ系を選択中”を示すＫ２バイトからなるＰＳＴメッセージに更新する（Ｔ２７ａ、Ｔ２７ｂ、Ｔ２７ｎ）。
親局装置５１の選択制御部６３は、この段階において、“信号不良による切替要求中”を示すＫ１バイトと、“Ａ系を選択中”を示すＫ２バイトから構成されたＰＳＴメッセージをＡ系及びＢ系のＰＬＯＡＭセル挿入部６４，６５に出力する。
当該ＰＳＴメッセージを含むＰＬＯＡＭセルは親局装置５１の送受信部６８，６９により各子局装置５２−１〜５２−ｎに同報に送信され、各子局装置５２−１〜５２−ｎの送受信部８９（Ａ系は障害発生中であるので、当該ＰＬＯＡＭセルは送受信部８８へは届かない）が当該ＰＬＯＡＭセルを受信して、ＰＬＯＡＭセル分離部９１が当該ＰＬＯＡＭセルに含まれたＰＳＴメッセージを選択制御部８３に出力する（Ｔ２８）。
各子局装置５２−１〜５２−ｎの選択制御部８３は、ＰＬＯＡＭセル分離部９１からＰＳＴメッセージを受けると、この段階において、そのＰＳＴメッセージに基づいて２−１セレクタ８１及び方路設定部８２を制御する。
ここでは、受信したＫ１バイトが“信号不良による切替要求中”を示しているので、２−１セレクタ８１及び方路設定部８２を予備系に切り替える指令を出力する（Ｔ２９ａ、Ｔ３０ａ、Ｔ２９ｂ、Ｔ３０ｂ、Ｔ２９ｎ、Ｔ３０ｎ）。
また、各子局装置５２−１〜５２−ｎの選択制御部８３は、この段階では、親局装置５１での障害検出を確認しているので“確認応答”を示すＫ１バイトと、“予備系を選択中”を示すＫ２バイトから構成されたＰＳＴメッセージに更新し、現用系及び予備系のＰＬＯＡＭセル挿入部８４，８５に出力する（Ｔ３１ａ、Ｔ３１ｂ、Ｔ３１ｎ）。
一方、親局装置５１は、各子局装置５２−１〜５２−ｎからのＰＬＯＡＭセルを受信すべく、一定周期毎に各子局装置５２−１〜５２−ｎへＰＬＯＡＭグラントを送出する（Ｔ３２ａ、Ｔ３２ｂ、Ｔ３２ｎ）。
各子局装置５２−１〜５２−ｎの選択制御部８３は、上述したように“信号不良による切替要求中”を示すＫ１バイトと、“確認応答”を示すＫ２バイトから構成されるＰＳＴメッセージを現用系及び予備系のＰＬＯＡＭセル挿入部８４，８５に出力するが、実際には、Ｔ３２ａ、Ｔ３２ｂ、Ｔ３２ｎでＰＬＯＡＭグラントを受信したタイミングを待って、当該ＰＳＴメッセージが親局装置５１へ送出される。
親局装置５１の送受信部６９は当該ＰＬＯＡＭセルを受信して、ＰＬＯＡＭセル分離部７１が当該ＰＬＯＡＭセルに含まれたＰＳＴメッセージを選択制御部６３に出力する（Ｔ３３ａ、Ｔ３３ｂ、Ｔ３３ｎ）。
親局装置５１の選択制御部６３は、ＰＬＯＡＭセル分離部７１からＰＳＴメッセージを受け取ると、他の子局装置５２−２〜５２−ｎからのＰＳＴメッセージの受信を待ち合わせる（Ｔ３４ａ）。引き続き、子局装置５２−２〜５２−ｎからのＰＳＴメッセージを受信して（Ｔ３４ｂ、Ｔ３４ｎ）、親局装置５１の選択制御部６３が全子局装置からのＰＳＴメッセージを受信すると、親局装置５１の選択制御部６３は、一括して冗長切替動作を続行する。
ここでは、各子局装置５２−１〜５２−ｎから受信したＫ２バイトが“予備系を選択中”を示しているので、２−１セレクタ６１の選択状況をＢ系に切り替える指令を出力する（Ｔ３５ａ、Ｔ３５ｂ、Ｔ３５ｎ）。以降、主信号は予備系及びＢ系を介して送受信される。
最後に、親局装置５１の選択制御部６３は、“信号不良による切替要求中”を示すＫ１バイトと、“Ｂ系を選択中”を示すＫ２バイトからなるＰＳＴメッセージに一括して更新し、Ａ系及びＢ系のＰＬＯＡＭセル挿入部６４，６５に一括出力する（Ｔ３６ａ、Ｔ３６ｂ、Ｔ３６ｎ）。
当該ＰＳＴメッセージを含むＰＬＯＡＭセルは親局装置５１の送受信部６８，６９により各子局装置５２−１〜５２−ｎに同報に送信され（Ｔ３７）、各子局装置５２−１〜５２−ｎの送受信部８９が当該ＰＬＯＡＭセルを受信して、ＰＬＯＡＭセル分離部９１が当該ＰＬＯＡＭセルに含まれたＰＳＴメッセージを選択制御部８３に出力し、一連の冗長切替シーケンスを終了する。
このように制御することにより、親局装置５１から冗長切替処理を始めることができるため、各子局装置５２−１〜５２−ｎが冗長切替動作を要求する毎に行われる親局装置５１へ当該ＰＳＴメッセージを送信するためのＰＬＯＡＭグラント待ちの回数を１回に減らすことができる。さらに、親局装置５１が各子局装置５２−１〜５２−ｎへの当該ＰＳＴメッセージを同報通知することが可能となり、全体としての冗長切替処理時間が短縮され、一連の冗長切替処理時間を短縮することができる。
また、各子局装置５２−１〜５２−ｎのＰＳＴメッセージを受信する毎に、当該子局装置の冗長切替処理を実施する場合、その都度、冗長切替処理の実施準備（例えば、冗長切替用ソフトウェアの立上げやテーブルの更新）を行う必要があるため全体としての冗長切替処理時間が長くなっていた。それに対し、Ｔ２６ａ〜Ｔ２６ｎ、Ｔ２７ａ〜Ｔ２７ｎのように親局装置５１は全子局装置を一括して冗長切替処理の実施準備を行うため全体としての冗長切替処理時間を短縮することができる。
産業上の利用可能性
以上のように、この発明に係る光多分岐通信システムは、現用系の親局装置や子局装置に障害が発生したとき、現用系の親局装置や子局装置を予備系に切り替える際の処理時間を短縮する必要があるものに適している。
【図面の簡単な説明】
第１図は従来の光多分岐通信システムを示す構成図である。
第２図は従来の光多分岐通信システムの詳細を示す構成図である。
第３図は子局装置２−１に故障障害が発生した時の制御例を示す説明図である。
第４図Ａ及びＢは親局装置１におけるＯＤＮ３の障害検出時の制御例を示す説明図である。
第５図Ａ及びＢは親局装置１におけるＯＤＮ３の障害検出時の制御例を示す説明図である。
第６図はこの発明の実施の形態１による光多分岐通信システムを示す構成図である。
第７図はこの発明の実施の形態１による光多分岐通信システムの詳細を示す構成図である。
第８図は子局装置５２−１に故障障害が発生した時の制御例を示す説明図である。
第９図Ａ及びＢは子局装置５２−１に故障障害が発生したときの制御例を示す説明図である。
第１０図Ａ及びＢは親局装置５１におけるＯＤＮ５３の障害検出時の制御例を示す説明図である。
第１１図Ａ及びＢは親局装置５１におけるＯＤＮ５３の障害検出時の制御例を示す説明図である。
第１２図Ａ及びＢは親局装置５１におけるＯＤＮ５３の障害検出時の制御例を示す説明図である。
【図１】
2002049290.tif 000003
【図２】
2002049290.tif 000004
【図３】
2002049290.tif 000005
【図４Ａ】
2002049290.tif 000006
【図４Ｂ】
2002049290.tif 000007
【図５Ａ】
2002049290.tif 000008
【図５Ｂ】
2002049290.tif 000009
【図６】
2002049290.tif 000010
【図７】
2002049290.tif 000011
【図８】
2002049290.tif 000012
【図９Ａ】
2002049290.tif 000013
【図９Ｂ】
2002049290.tif 000014
【図１０Ａ】
2002049290.tif 000015
【図１０Ｂ】
2002049290.tif 000016
【図１１Ａ】
2002049290.tif 000017
【図１１Ｂ】
2002049290.tif 000018
【図１２Ａ】
2002049290.tif 000019
【図１２Ｂ】
2002049290.tif 000020
【手続補正書】
【提出日】平成14年3月18日(2002.3.18)
【手続補正１】
【補正対象書類名】明細書
【補正対象項目名】特許請求の範囲
【補正方法】変更
【補正の内容】
【特許請求の範囲】
【請求項１】
親局装置が第１又は第２の光ネットワークを介して複数の子局装置と接続されている光多分岐通信システムにおいて、上記子局装置の冗長切替を実施する際、上記親局装置は下りメッセージを上記子局装置に送信後、所定の送信タイミング時間が経過すると、上記子局装置からの上りメッセージの送信を許可するメッセージ送信許可信号を上記子局装置に送信することを特徴とする光多分岐通信システム。
【請求項２】
親局装置は、子局装置からの上りメッセージを受信するまで、所定の送信タイミング時間が経過する毎にメッセージ送信許可信号の送信を繰り返すことを特徴とする請求の範囲第１項記載の光多分岐通信システム。
【請求項３】
親局装置は、子局装置の冗長切替を実施すると、上記子局装置の冗長切替処理時間を学習して所定の送信タイミング時間を調整することを特徴とする請求の範囲第１項記載の光多分岐通信システム。
【請求項４】
親局装置は、特定の条件が成立すると冗長切替処理時間を初期化することを特徴とする請求の範囲第３項記載の光多分岐通信システム。
【請求項５】
親局装置が第１又は第２の光ネットワークを介して複数の子局装置と接続されている光多分岐通信システムにおいて、上記親局装置が上記子局装置からの上りメッセージの送信を許可するメッセージ送信許可信号を上記子局装置に送信する際、現用系の子局装置よりも予備系の子局装置に対する上記メッセージ送信許可信号の送信タイミング時間間隔を短くすることを特徴とする光多分岐通信システム。
【請求項６】
親局装置が第１又は第２の光ネットワークを介して複数の子局装置と接続されている光多分岐通信システムにおいて、上記親局装置はある子局装置の障害を検出すると全子局装置の障害検出待ちを実行し、一定時間が経過すると障害が検出された子局装置の冗長切替を実施することを特徴とする光多分岐通信システム。
【請求項７】
親局装置は、障害が検出された子局装置の冗長切替を一括して実施することを特徴とする請求の範囲第６項記載の光多分岐通信システム。
【請求項８】
親局装置は、障害が検出された子局装置からの上りメッセージの受信待ちを実行し、当該子局装置の冗長切替を一括して実施することを特徴とする請求の範囲第６項記載の光多分岐通信システム。
【請求項９】
親局装置が第１又は第２の光ネットワークを介して複数の子局装置と接続されている光多分岐通信システムにおいて、上記親局装置の切替保護時間を上記子局装置の切替保護時間よりも短くして、上記親局装置が上記子局装置の障害を検出し、上記子局装置の冗長切替を実施することを特徴とする光多分岐通信システム。
【請求項１０】
（追加）親局装置が第１又は第２の光ネットワークを介して複数の子局装置と接続されている光多分岐通信システムにおいて、
上記親局装置は、上記子局装置の冗長切替を実施しない場合、冗長切替が不要であることを示す下りメッセージを上記子局装置に送信し、上記子局装置の冗長切替を実施する場合、冗長切替を要求する下りメッセージを上記子局装置に送信し、上記子局装置は、冗長切替が不要であることを示す下りメッセージを受信している間、所定周期で上りメッセージを上記親局装置に送信し、冗長切替が不要であることを示す下りメッセージから冗長切替を要求する下りメッセージに変わったときに上記周期に関り無く上りメッセージを親局装置に送信することを特徴とする光多分岐通信システム。
【請求項１１】
（追加）第１又は第２の光ネットワークを介して親局装置に接続された複数の子局装置であって、
冗長切替が不要であることを示す下りメッセージを受信している間、定期的に上りメッセージを上記親局装置に送信し、冗長切替が不要であることを示す下りメッセージから冗長切替を要求する下りメッセージに変わったときに上りメッセージを親局装置に送信することを特徴とする子局装置。
【請求項１２】
（追加）第１又は第２の光ネットワークを介して複数の子局装置と接続された親局装置であって、
上記子局装置の冗長切替を実施する際、下りメッセージを上記子局装置に送信後、所定の送信タイミング時間が経過すると、上記子局装置からの上りメッセージの送信を許可するメッセージ送信許可信号を上記子局装置に送信することを特徴とする親局装置。
【国際調査報告】
2002049290.tif 000021
2002049290.tif 000022